(57)【要約】動画像の撮像を行う撮像部と、無線通信を行う通信部と、予め設定されている時間設定に基づいて、撮像機能の制御と、撮像された撮像画像を示す画像信号を送信する送信機能の制御とを行う制御部とを備え、制御部は、少なくとも、撮像機能が働いていない待機状態と、撮像機能が働いている動作状態との切り替えを、時間設定に従って制御する、撮像装置が、提供される。【選択図】図３
2019049455.tif 000002
【特許請求の範囲】
【請求項１】
動画像の撮像を行う撮像部と、
無線通信を行う通信部と、
予め設定されている時間設定に基づいて、撮像機能の制御と、撮像された撮像画像を示す画像信号を送信する送信機能の制御とを行う制御部と、
を備え、
前記制御部は、少なくとも、前記撮像機能が働いていない待機状態と、前記撮像機能が働いている動作状態との切り替えを、前記時間設定に従って制御する、撮像装置。
【請求項２】
前記制御部は、
前記時間設定に従って周期的に撮像の開始と停止とを行わせ、
前記時間設定に従って周期的に前記画像信号の送信の開始と停止とを行わせる、請求項１に記載の撮像装置。
【請求項３】
前記制御部は、
撮像を行わせているときには、前記撮像画像を送信させ、
撮像を停止させているときには、前記画像信号の送信を停止させる、請求項２に記載の撮像装置。
【請求項４】
前記制御部は、前記時間設定に従って撮像機能を制御し、前記撮像機能の制御と連動して前記送信機能を制御する、請求項１に記載の撮像装置。
【請求項５】
前記制御部は、
前記時間設定に従って撮像を開始させ、
前記撮像画像に基づいて、前記画像信号の送信を開始させる、請求項４に記載の撮像装置。
【請求項６】
前記制御部は、前記撮像画像から所定のオブジェクトが検出されたときに、前記画像信号の送信を開始させる、請求項５に記載の撮像装置。
【請求項７】
前記制御部は、前記画像信号の送信を開始させた後、前記撮像画像から前記所定のオブジェクトが検出されないと判定されたときに、撮像と前記画像信号の送信とを停止させる、請求項６に記載の撮像装置。
【請求項８】
前記制御部は、前記撮像画像と、前記所定のオブジェクトが含まれないときに撮像された基準撮像画像とを比較することによって、所定のオブジェクトが検出されているか否かを判定する、請求項７に記載の撮像装置。
【請求項９】
前記制御部は、圧縮された前記画像信号を送信させる、請求項１に記載の撮像装置。
【請求項１０】
無線通信を行う通信部と、
表示画面に画像を表示することが可能な表示部と、
予め設定されている時間設定、または、所定のオブジェクトの検出結果に基づいて、受信された画像信号を再生して前記表示画面に画像を表示する再生機能の制御を行う制御部と、
を備える、再生装置。
【請求項１１】
前記時間設定に基づいて前記再生機能の制御を行う場合、前記制御部は、前記時間設定に従って周期的に再生の開始と停止とを行わせる、請求項１０に記載の再生装置。
【請求項１２】
予め設定されている時間設定に基づいて、動画像の撮像を行う撮像部における撮像機能の制御と、通信部における撮像された撮像画像を示す画像信号を送信する送信機能の制御とを行う制御ステップを有し、
前記制御ステップでは、少なくとも、前記撮像機能が働いていない待機状態と、前記撮像機能が働いている動作状態との切り替えが、前記時間設定に従って制御される、撮像装置により実行される制御方法。
【請求項１３】
予め設定されている時間設定、または、所定のオブジェクトの検出結果に基づいて、通信部において無線で受信された画像信号を再生して表示部の表示画面に画像を表示する再生機能の制御を行うステップを有する、再生装置により実行される制御方法。
【請求項１４】
撮像装置と、
再生装置と、
を有し、
前記撮像装置は、
動画像の撮像を行う撮像部と、
無線通信を行う撮像装置側通信部と、
予め設定されている時間設定に基づいて、撮像機能の制御と、撮像された撮像画像を示す画像信号を送信する送信機能の制御とを行う撮像装置側制御部と、
を備え、
前記撮像装置側制御部は、少なくとも、前記撮像機能が働いていない待機状態と、前記撮像機能が働いている動作状態との切り替えを、前記時間設定に従って制御し、
前記再生装置は、
無線通信を行う再生装置側通信部と、
表示画面に画像を表示することが可能な表示部と、
予め設定されている時間設定、または、所定のオブジェクトの検出結果に基づいて、受信された画像信号を再生して前記表示画面に画像を表示する再生機能の制御を行う再生装置側制御部と、
を備える、制御システム。
【発明の詳細な説明】
【技術分野】
【０００１】
本開示は、撮像装置、再生装置、制御方法、および制御システムに関する。
【背景技術】
【０００２】
撮像装置における撮像の開始を制御する技術が開発されている。現フレームの画像と隣接フレームの画像との間の動きの検出結果、および／または、現フレームの画像と基準フレームの画像との間の動きの検出結果を用いて、撮像装置における撮像の開始を制御する技術としては、例えば下記の特許文献１に記載の技術が挙げられる。
【先行技術文献】
【特許文献】
【０００３】
【特許文献１】特開２００９−２７８４３２号公報
【発明の概要】
【発明が解決しようとする課題】
【０００４】
例えばトランポリンや体操、スノーボードなどの試技を行うスポーツ競技の練習では、撮像装置により試技を撮像し、練習を行う者が撮像された撮像画像（動画像、または、静止画像）をみてフォームなどをチェックすることが、行われる場合がある。撮像画像を練習を行う者は、撮像時から遅延して再生された撮像画像をみることとなる。よって、上記のような撮像時から遅延して撮像画像が再生される撮像画像の再生は、「遅延再生」と呼ばれる。【０００５】
しかしながら、遅延再生を実現することが可能なシステムは、例えば後述する下記のような理由により、利便性を損ねる恐れがある。
・利用することができる環境と条件とが限られる場合がある
・専門知識を持たない者（例えば、練習を行う選手や、練習スタッフなど）の利用は、容易ではない【０００６】
本開示では、より利便性を向上させた遅延再生を実現することが可能な、新規かつ改良された撮像装置、再生装置、制御方法、および制御システムを提案する。
【課題を解決するための手段】
【０００７】
本開示によれば、動画像の撮像を行う撮像部と、無線通信を行う通信部と、予め設定されている時間設定に基づいて、撮像機能の制御と、撮像された撮像画像を示す画像信号を送信する送信機能の制御とを行う制御部と、を備え、上記制御部は、少なくとも、上記撮像機能が働いていない待機状態と、上記撮像機能が働いている動作状態との切り替えを、上記時間設定に従って制御する、撮像装置が、提供される。【０００８】
また、本開示によれば、無線通信を行う通信部と、表示画面に画像を表示することが可能な表示部と、予め設定されている時間設定、または、所定のオブジェクトの検出結果に基づいて、受信された画像信号を再生して上記表示画面に画像を表示する再生機能の制御を行う制御部と、を備える、再生装置が、提供される。【０００９】
また、本開示によれば、予め設定されている時間設定に基づいて、動画像の撮像を行う撮像部における撮像機能の制御と、通信部における撮像された撮像画像を示す画像信号を送信する送信機能の制御とを行う制御ステップを有し、上記制御ステップでは、少なくとも、上記撮像機能が働いていない待機状態と、上記撮像機能が働いている動作状態との切り替えが、上記時間設定に従って制御される、撮像装置により実行される制御方法が、提供される。【００１０】
また、本開示によれば、予め設定されている時間設定、または、所定のオブジェクトの検出結果に基づいて、通信部において無線で受信された画像信号を再生して表示部の表示画面に画像を表示する再生機能の制御を行うステップを有する、再生装置により実行される制御方法が、提供される。【００１１】
また、本開示によれば、撮像装置と、再生装置と、を有し、上記撮像装置は、動画像の撮像を行う撮像部と、無線通信を行う撮像装置側通信部と、予め設定されている時間設定に基づいて、撮像機能の制御と、撮像された撮像画像を示す画像信号を送信する送信機能の制御とを行う撮像装置側制御部と、を備え、上記撮像装置側制御部は、少なくとも、上記撮像機能が働いていない待機状態と、上記撮像機能が働いている動作状態との切り替えを、上記時間設定に従って制御し、上記再生装置は、無線通信を行う再生装置側通信部と、表示画面に画像を表示することが可能な表示部と、予め設定されている時間設定、または、所定のオブジェクトの検出結果に基づいて、受信された画像信号を再生して上記表示画面に画像を表示する再生機能の制御を行う再生装置側制御部と、を備える、制御システムが、提供される。
【発明の効果】
【００１２】
本開示によれば、より利便性を向上させた遅延再生を実現することができる。【００１３】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１４】
【図１】遅延再生を実現することが可能なシステムの一例を説明するための説明図である。
【図２】遅延再生を実現することが可能なシステムの他の例を説明するための説明図である。
【図３】第１の実施形態に係る制御システムの構成の一例を示す説明図である。
【図４】第２の実施形態に係る制御システムの構成の一例を示す説明図である。
【図５】第２の実施形態に係る撮像装置における処理の一例を説明するための説明図である。
【図６】本実施形態に係る撮像装置の構成の一例を示すブロック図である。
【図７】本実施形態に係る撮像装置のハードウェア構成の一例を示す説明図である。
【図８】本実施形態に係る再生装置の構成の一例を示すブロック図である。
【図９】本実施形態に係る再生装置のハードウェア構成の一例を示す説明図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、以下では、下記に示す順序で説明を行う。
１．本実施形態に係る制御システム、および本実施形態に係る制御方法
２．本実施形態に係るプログラム
【００１７】
（本実施形態に係る制御システム、および本実施形態に係る制御方法）
［１］遅延再生を実現することが可能なシステムの一例
本実施形態に係る制御システムについて説明する前に、遅延再生を実現することが可能なシステムの一例を説明する。
【００１８】
図１は、遅延再生を実現することが可能なシステムの一例を説明するための説明図である。
【００１９】
図１に示すシステム１０は、撮像装置２０と、バッファ装置３０と、再生装置４０とを有する。図１では、再生装置４０が画像を表示する機能を有する装置である例を示している。
【００２０】
撮像装置２０とバッファ装置３０とは有線で接続され、撮像装置２０により撮像された撮像画像を示す画像信号は、有線通信でバッファ装置３０へ送信され、バッファ装置３０で記憶される。システム１０では、撮像装置２０からバッファ装置３０へと非圧縮の画像信号が送信される。また、バッファ装置３０と再生装置４０とは有線で接続され、バッファ装置３０に記憶されている撮像画像は、有線通信で再生装置４０へ送信され、再生装置４０で再生される。
【００２１】
システム１０がトランポリンの練習に用いられるユースケースを説明する。
【００２２】
練習を行う者は、規定の時間試技を行う（Ｓ１０）。試技終了後、練習を行う者は、再生装置４０の表示画面の前に移動する（Ｓ１２）。
【００２３】
システム１０では、練習を行う者が表示画面の前に移動する頃合いに合わせて、バッファ装置３０で記憶されていた撮像画像の再生を開始する。表示画面の前に移動した練習を行う者は、再生装置４０により再生され表示画面に表示された撮像画像をみて、フォームなどをチェックする（Ｓ１４）。
【００２４】
システム１０では、試技の時間と移動時間を合わせた時間を、撮像画像を遅延させて再生させる遅延時間として、バッファ装置３０で撮像画像を記憶する量（バッファ量）が決定される。例えば、試技時間が３分、表示画面への移動時間を１分とすると、練習を行う者は、４分前からの撮像画像をみることとなる。よって、システム１０では、遅延再生が実現される。
【００２５】
再生された撮像画像を見終わった練習を行う者は、再度試技を行うために、トランポリンへ移動する（Ｓ１６）。そして、練習を行う者は、規定の時間試技を行う（Ｓ１０）。
【００２６】
ここで、遅延再生を実現することが可能なシステムでは、一旦システムを起動すると、試技をするたびに各種機器の開始操作や停止操作を行う必要がないことが、求められている。つまり、遅延再生を実現することが可能なシステムでは、例えば、自動的に動作して、試技や指導に集中させることができる操作性が、求められている。
【００２７】
そのため、システム１０では、撮像装置２０、バッファ装置３０、および再生装置４０が、例えば遅延再生を終了する操作が行われるまで、動作し続ける。
【００２８】
しかしながら、図１に示すようなシステム１０では各種機器が大規模なものとなるので、各種機器は、練習場に備え付けとなる。そのため、図１に示すようなシステム１０では、利用することができる環境と条件とが限られる。一例を挙げると、図１に示すようなシステム１０は備え付けであるので可搬性がなく、遠征先で利用することができない。図１に示すようなシステム１０を、スノーボードなど屋外競技で利用することも困難である。
【００２９】
さらに、練習場に備え付けられるシステムでは、専門家による機材のセットアップと操作が必要な場合が多い。そのため、図１に示すようなシステム１０を、専門知識を持たない者（例えば、練習を行う選手や、練習スタッフなど）が利用することは、容易ではない。
【００３０】
ここで、図１に示すシステム１０において生じうる上記のような問題を解決することが可能なシステムとしては、例えば、“ＩＥＥＥ  ８０２．１１規格などの任意の無線通信規格に則った無線通信機能を有する撮像装置と、タブレット型の装置などの無線通信機能および再生機能を有する再生装置とを有するシステム”が、考えられる。本実施形態に係る再生機能とは、例えば“画像信号を再生して表示画面に画像を表示する機能”をいう。本実施形態に係る再生機能が働く場合、画像信号はデコードされることによって再生され、デコードされた画像が表示画面に表示される。
【００３１】
図２は、遅延再生を実現することが可能なシステムの他の例を説明するための説明図である。
【００３２】
図２に示すシステム５０は、撮像装置６０と、再生装置７０とを有する。
【００３３】
撮像装置６０は、撮像機能に加えて、無線通信を行う機能を有し、撮像により生成した撮像画像を示す画像信号を、無線で送信する。ここで、撮像装置６０における無線通信による画像信号の送信は、例えば、画像のストリーミング送信に該当する。
【００３４】
再生装置７０は、画像の再生機能に加えて、無線通信機能を行う機能を有し、無線通信で受信された画像信号が示す画像を、表示画面に表示させる。
【００３５】
例えば図２に示すシステム５０では、撮像装置６０から再生装置７０へと、無線通信で撮像画像を示す画像信号が送信され、再生装置７０で撮像画像が再生される。
【００３６】
図１と同様に、システム５０がトランポリンの練習に用いられるユースケースを例に挙げる。
【００３７】
練習を行う者は、規定の時間試技を行う（Ｓ２０）。試技終了後、練習を行う者は、再生装置７０の表示画面の前に移動する（Ｓ２２）。
【００３８】
システム５０では、再生装置７０が無線通信で受信した撮像画像を示す画像信号をバッファリングし、練習を行う者が表示画面の前に移動する頃合いに合わせて、バッファリングされた画像信号が示す撮像画像の再生を開始する。表示画面の前に移動した練習を行う者は、再生装置７０により再生され表示画面に表示された撮像画像をみて、フォームなどをチェックする（Ｓ２４）。
【００３９】
システム５０では、試技の時間と移動時間を合わせた時間を、撮像画像を遅延させて再生させる遅延時間として、再生装置７０が画像信号をバッファリングする量（バッファ量）が決定される。例えば、試技時間が３分、表示画面への移動時間を１分とすると、練習を行う者は、４分前からの撮像画像をみることとなる。よって、システム５０では、システム１０と同様に、遅延再生が実現される。
【００４０】
再生された撮像画像を見終わった練習を行う者は、再度試技を行うために、トランポリンへ移動する（Ｓ２６）。そして、練習を行う者は、規定の時間試技を行う（Ｓ２０）。
【００４１】
上述したように、遅延再生を実現することが可能なシステムでは、自動的に動作して、試技や指導に集中させることができる操作性が、求められている。そのため、システム５０では、撮像装置６０、および再生装置７０が、例えば遅延再生を終了する操作が行われるまで、動作し続ける。
【００４２】
システム５０では、図１に示すシステム１０と異なり、無線通信により撮像画像を示す画像信号が伝送されるので、システム１０のような通信を行うための配線が不要であり、設営が容易である。また、システム５０は、ＩＥＥＥ  ８０２．１１規格などの任意の無線通信規格に則った無線通信機能を有する撮像装置と、タブレット型の装置などの無線通信機能および再生機能を有する再生装置で構成することが可能であるので、各装置の規模を、図１に示すシステム１０よりも小さくすることが可能である。
【００４３】
よって、システム５０は、可搬性があり、遠征先での利用や、屋外競技での利用が、容易である。また、例えば、ＩＥＥＥ  ８０２．１１規格に則った無線通信機能を有するカメラ、およびタブレット型の装置の普及が進んでおり、練習を行う選手などがこれらの装置を利用することは、容易である。
【００４４】
ここで、システム５０を構成する各装置は、可搬性を有するためにバッテリなどの内部電源を備え、内部電源から供給される電力で動作する構成であることが多い。そのため、内部電源から供給される電力で動作する各装置には、商用電源などの外部電源で動作する場合と比較して、動作可能な時間に制限がある。
【００４５】
しかしながら、システム５０では、遅延再生を実現するために、撮像装置６０、および再生装置７０が動作し続ける必要がある。そのため、システム５０には、電力が消費されることにより利用可能な時間に制約が生じうる。
【００４６】
よって、システム５０では、利便性を向上させた遅延再生を実現することができるとは、言い難い。
【００４７】
［２］本実施形態に係る制御システム
そこで、本実施形態に係る制御システムでは、基本的な構成は図２にシステム５０と同様の構成をとりつつ、各装置が有する機能を制御することによって、利便性を向上させた遅延再生の実現を図る。
【００４８】
以下、本実施形態に係る制御システム、および本実施形態に係る制御システムを構成する各装置における処理（本実施形態に係る制御方法に係る処理）の一例を説明する。また、以下では、本実施形態に係る制御システムがトランポリンの練習に用いられるユースケースを主に例に挙げる。
【００４９】
なお、本実施形態に係る制御システムが適用可能なユースケースは、トランポリンの練習に限られない。本実施形態に係る制御システムは、体操などの室内で試技を行うスポーツの練習、スノーボードやスキーなどの野外で試技を行うスポーツの練習など、試技を行う様々なスポーツ競技の練習に適用することができる。また、本実施形態に係る制御システムが適用可能なユースケースは、上記のようなスポーツ競技の練習に適用されることに限られず、撮像装置による何らかの動作の撮像および撮像画像の確認が繰り返し行われうる、任意のユースケースに適用することが可能である。
【００５０】
［２−１］第１の実施形態に係る制御システム
図３は、第１の実施形態に係る制御システム１０００の構成の一例を示す説明図である。第１の実施形態に係る制御システム１０００は、撮像装置１００と、再生装置２００とを有する。撮像装置１００および再生装置２００それぞれの構成の一例については、後述する。
【００５１】
［２−１−１］第１の実施形態に係る撮像装置１００
撮像装置１００は、撮像機能に加えて、無線通信を行う機能を有し、撮像により生成した撮像画像を示す画像信号を、無線で送信する。
【００５２】
撮像装置１００は、例えばＨ．２６４などの任意の画像圧縮規格などに則って圧縮された画像信号を、送信させてもよい。圧縮された画像信号が撮像装置１００から送信されることによって、例えば、再生装置２００がバッファリングするためのメモリ容量をより小さくすることができるので、再生装置２００の規模をより小さくすることが可能となる。
【００５３】
撮像装置１００は、予め設定されている時間設定に基づいて、撮像機能の制御と、撮像画像を示す画像信号を送信する送信機能の制御とを行う。
【００５４】
撮像装置１００における時間設定としては、例えば、撮像の開始から停止までの時間間隔の設定と、送信の開始から停止までの時間間隔の設定との一方または双方が、挙げられる。本実施形態に係る時間設定が、上記のような開始と停止との時間間隔であることによって、撮像装置１００では、撮像および送信それぞれについて、周期的な動作が実現される。
【００５５】
なお、撮像装置１００における時間設定は、上記に示す例に限られない。例えば撮像装置１００における時間設定は、撮像の開始時刻および撮像の停止時刻の設定と、送信の開始時刻および送信の停止時刻の設定との一方または双方であってもよい。撮像装置１００における時間設定が、上記のような開始および停止それぞれの時刻である場合、開始時刻および停止時刻の組が複数設定されることによって、撮像および送信それぞれについて、周期的な動作または非周期的な動作が実現される。
【００５６】
撮像装置１００における時間設定を示すデータは、例えば、撮像装置１００が備える記憶部（後述する）や、撮像装置１００に接続されている外部の記録媒体などの記録媒体に記憶される。そして、撮像装置１００は、記録媒体から時間設定を示すデータを読み出すことによって、時間設定に基づく制御を行う。以下では、撮像装置１００における時間設定が予め設定されていることを、「プリセット」と示す場合がある。
【００５７】
より具体的には、撮像装置１００は、例えば、時間設定に従って周期的に撮像の開始と停止とを行うように、撮像機能を制御する。ここで、撮像装置１００における撮像の開始とは、例えば、撮像装置１００が有する撮像機能が働いている動作状態にあることをいう。また、撮像装置１００における撮像の停止とは、例えば、撮像装置１００が有する撮像機能が働いていない待機状態にあることをいう。つまり、撮像装置１００は、撮像機能の待機状態と、撮像機能の動作状態との切り替えを、時間設定に従って制御する。また、撮像が開始されることにより撮像画像が生成され、撮像が停止されることにより撮像画像は生成されない。
【００５８】
また、撮像装置１００は、例えば、時間設定に従って周期的に画像信号の送信の開始と停止とを行うように、撮像機能を制御する。ここで、撮像装置１００における送信の開始とは、例えば、撮像装置１００が有する送信機能が働いている動作状態にあることをいう。また、撮像装置１００における送信の停止とは、例えば、撮像装置１００が有する送信機能が働いていない待機状態にあることをいう。つまり、撮像装置１００は、送信機能の待機状態と、送信機能の動作状態との切り替えを、時間設定に従って制御する。また、送信が開始されることにより撮像画像を示す画像信号が無線通信で送信され、送信が停止されることにより画像信号が無線通信で送信されない。
【００５９】
撮像機能の制御に係る時間設定と、送信機能の制御に係る時間設定としては、例えば、同一の設定が挙げられる。また、撮像機能の制御に係る時間設定と送信機能の制御に係る時間設定とには、時間差があってもよい。例えば、送信機能の制御に係る時間設定は、撮像画像の生成に要する時間間隔（例えば、エンコードされた画像データが生成されるまでの時間）分、撮像機能の制御に係る時間設定よりも遅延するように設定されてもよい。
【００６０】
例えば上記のように撮像機能の制御に係る時間設定と送信機能の制御に係る時間設定とが設定され、時間設定に従って撮像機能と送信機能とを制御することによって、撮像装置１００では、“撮像を行わせているときには、撮像画像を送信させ、撮像を停止させているときには、画像信号の送信を停止させること”が、実現される。
【００６１】
撮像装置１００において時間設定に従って周期的に撮像と送信とが停止されることによって、撮像装置１００における消費電力は低減される。また、撮像装置１００における撮像および送信が停止された状態が、撮像装置１００の待機状態（撮像装置１００の設計時などにおいて設定される待機電力で動作する状態）である場合には、撮像装置１００における消費電力は、待機電力まで低減される。撮像装置１００の待機状態とは、撮像機能および送信機能がそれぞれ待機状態にある、撮像装置１００の状態をいう。
【００６２】
［２−１−２］第１の実施形態に係る再生装置２００
再生装置２００は、画像の再生機能に加えて、無線通信機能を行う機能を有し、無線通信で受信された画像信号が示す画像を、表示画面に表示させる。
【００６３】
再生装置２００は、予め設定されている時間設定に基づいて再生機能の制御を行う。本実施形態に係る再生機能とは、例えば、受信された画像信号を再生して表示画面に画像を表示する機能をいう。再生装置２００では、再生機能が働くことによって、画像信号がデコードされ、デコードされた画像が表示画面に表示される。
【００６４】
再生装置２００における時間設定としては、例えば、再生の開始から停止までの時間間隔の設定が、挙げられる。本実施形態に係る時間設定が、上記のような開始と停止との時間間隔であることによって、再生装置２００では、周期的な再生動作が実現される。
【００６５】
なお、再生装置２００における時間設定は、上記に示す例に限られない。例えば再生装置２００における時間設定は、再生の開始時刻および再生の停止時刻の設定であってもよい。再生装置２００における時間設定が、上記のような開始および停止それぞれの時刻である場合、開始時刻および停止時刻の組が複数設定されることによって、周期的な再生動作または非周期的な再生動作が実現される。
【００６６】
再生装置２００における時間設定を示すデータは、例えば、再生装置２００が備える記憶部（後述する）や、再生装置２００に接続されている外部の記録媒体などの記録媒体に記憶される。そして、再生装置２００は、記録媒体から時間設定を示すデータを読み出すことによって、時間設定に基づく制御を行う。以下では、再生装置２００における時間設定が予め設定されていることを、「プリセット」と示す場合がある。
【００６７】
より具体的には、再生装置２００は、例えば、時間設定に従って周期的に再生の開始と停止とを行うように、再生機能を制御する。ここで、再生装置２００における再生の開始とは、例えば、再生装置２００が有する再生機能が働いている状態にあることをいう。また、再生装置２００における再生の停止とは、例えば、再生装置２００が有する再生機能が働いていない状態にあることをいう。つまり、例えば、再生が開始されることによって、無線通信で受信されてデコードされた撮像画像が表示画面に表示され、再生が停止されることによって、デコードおよび撮像画像の表示は、行われない。
【００６８】
再生装置２００において時間設定に従って周期的に再生が停止されることによって、再生装置２００における消費電力は低減される。また、再生装置２００における再生が停止された状態が、再生装置２００の待機状態（再生装置２００の設計時などにおいて設定される待機電力で動作する状態）である場合には、再生装置２００における消費電力は、待機電力まで低減される。
【００６９】
［２−１−３］第１の実施形態に係る制御システム１０００のユースケース
図１、図２と同様に、制御システム１０００がトランポリンの練習に用いられるユースケースを例に挙げる。
【００７０】
練習を行う者は、規定の時間試技を行う（Ｓ１００）。試技終了後、練習を行う者は、再生装置２００の表示画面の前に移動する（Ｓ１０２）。
【００７１】
制御システム１０００では、再生装置２００が無線通信で受信した撮像画像を示す画像信号をバッファリングし、練習を行う者が表示画面の前に移動する頃合いに合わせて、バッファリングされた画像信号が示す撮像画像の再生を開始する。表示画面の前に移動した練習を行う者は、再生装置２００により再生され表示画面に表示された撮像画像をみて、フォームなどをチェックする（Ｓ１０４）。
【００７２】
再生装置２００が画像信号をバッファリングする量（バッファ量）は、例えば図２に示す再生装置７０と同様に決定される。例えば、試技時間が３分、表示画面への移動時間を１分とすると、練習を行う者は、４分前からの撮像画像をみることとなる。よって、制御システム１０００では、図２に示すシステム５０と同様に、遅延再生が実現される。
【００７３】
再生された撮像画像を見終わった練習を行う者は、再度試技を行うために、トランポリンへ移動する（Ｓ１０６）。そして、練習を行う者は、規定の時間試技を行う（Ｓ１００）。
【００７４】
上述したように、撮像装置１００は、時間設定に基づいて撮像機能の制御と送信機能の制御とをそれぞれ行う。また、再生装置２００は、時間設定に基づいて再生機能の制御を行う。よって、撮像装置１００および再生装置２００それぞれの消費電力は、図２に示す撮像装置６０および再生装置７０それぞれの消費電力よりも低減される。
【００７５】
撮像装置１００に設定される時間設定、および再生装置２００に設定される時間設定それぞれは、例えば、試技の内容と試技を行う環境に合った試技時間間隔（ステップＳ１００に対応する時間間隔）、再生装置２００の表示画面への移動時間間隔（ステップＳ１０２に対応する時間間隔）、および再度試技を行うための移動時間間隔（ステップＳ１０６に対応する時間間隔）により決定される。なお、再生装置２００における再生時間間隔（ステップＳ１０４に対応する時間間隔）は、試技の内容と試技を行う環境に合った試技時間間隔（ステップＳ１００に対応する時間間隔）と同様であるので、設定を割愛することが可能である。
【００７６】
撮像装置１００および再生装置２００それぞれは、設定されている時間設定に基づき動作するので、制御システム１０００では、“撮像装置１００および再生装置２００それぞれが、例えば遅延再生を終了する操作が行われるまで動作し続けること”を実現することが可能である。よって、制御システム１０００は、“自動的に動作して、試技や指導に集中させることができる操作性”を実現することができる。
【００７７】
［２−１−４］第１の実施形態に係る制御システム１０００が奏する効果の一例
制御システム１０００は、基本的な構成は図２にシステム５０と同様の構成をとる。よって、制御システム１０００は、図２にシステム５０と同様の効果を奏することができる。
【００７８】
また、撮像装置１００は、時間設定に基づいて撮像機能の制御と送信機能の制御とをそれぞれ行い、再生装置２００は、時間設定に基づいて再生機能の制御を行う。よって、撮像装置１００および再生装置２００それぞれの消費電力は、図２に示す撮像装置６０および再生装置７０それぞれの消費電力よりも低減される。
【００７９】
また、撮像装置１００および再生装置２００それぞれの消費電力が低減されることによって、撮像装置１００および再生装置２００それぞれが内部電源で動作する場合であっても、第１の実施形態に係る制御システム１０００を利用する者は、図２にシステム５０を利用する場合よりも長い時間、制御システム１０００を利用することができる。
【００８０】
したがって、第１の実施形態に係る制御システム１０００によって、より利便性を向上させた遅延再生を実現することができる。
【００８１】
［２−２］第２の実施形態に係る制御システム
図４は、第２の実施形態に係る制御システム１０００の構成の一例を示す説明図である。第２の実施形態に係る制御システム１０００は、撮像装置１００と、再生装置２００とを有する。撮像装置１００および再生装置２００それぞれの構成の一例については、後述する。
【００８２】
［２−２−１］第２の実施形態に係る撮像装置１００
第２の実施形態に係る撮像装置１００は、上述した第１の実施形態に係る撮像装置１００と基本的に同様の機能を有する。よって、以下では、第２の実施形態に係る撮像装置１００における、上述した第１の実施形態に係る撮像装置１００と同様の点については説明を省略し、相違点について説明する。
【００８３】
撮像装置１００は、時間設定に従って撮像機能を制御し、撮像機能の制御と連動して送信機能を制御する。
【００８４】
より具体的には、撮像装置１００は、時間設定に従って撮像を開始させ、撮像が開始されることにより生成された撮像画像に基づいて、画像信号の送信を開始させる。撮像装置１００は、撮像画像から所定のオブジェクトが検出されたときに、画像信号の送信を開始させる。つまり、撮像装置１００は、撮像機能の待機状態と、撮像機能の動作状態との切り替えを、時間設定に従って制御する。また、撮像装置１００は、送信機能の待機状態と、送信機能の動作状態との切り替えを、撮像機能の制御と連動して制御する。
【００８５】
所定のオブジェクトとしては、例えば、設定されている顔などの生体部分や、設定されているマーク（色パターンも含む）、設定されている形状のオブジェクトなど、検出対象として設定されている任意のオブジェクトが、挙げられる。
【００８６】
撮像装置１００は、例えば、撮像画像に対して、任意のオブジェクト検出処理を行うことによって、所定のオブジェクトを検出する。オブジェクト検出処理の一例として、練習を行う者の顔を検出する処理の一例を挙げると、撮像装置１００は、撮像された時点が異なる複数の撮像画像（例えば複数のフレーム画像）の差分をとることによって撮像画像から動体を検出する。そして、撮像装置１００は、検出された動体部分に対してパターンマッチングなどの任意の顔認識処理を行い、練習を行う者の顔が認識されたときに、所定のオブジェクトが検出されたと判定する。なお、撮像装置１００におけるオブジェクト検出処理は、上記に示す例に限られない。例えば、撮像装置１００は、動体を検出せずに、撮像画像に対して顔認識処理を行い、練習を行う者の顔が認識されたときに、所定のオブジェクトが検出されたと判定してもよい。
【００８７】
画像信号の送信が開始された後、撮像装置１００は、撮像画像から所定のオブジェクトが検出されないと判定されたときに、撮像と画像信号の送信とを停止させる。撮像装置１００は、例えば、撮像と画像信号の送信とを同期して停止させてもよいし、撮像と画像信号の送信とをそれぞれ独立に停止させてもよい。
【００８８】
ここで、撮像装置１００は、撮像画像に対して行う上記オブジェクト検出処理の結果、所定のオブジェクトが検出されたと判定されない場合に、撮像を停止させ、画像信号の送信を停止させる。
【００８９】
なお、撮像画像に基づき所定のオブジェクトが検出されているか否かを判定する方法は、上記に示す例に限られない。
【００９０】
例えば、撮像装置１００は、撮像画像と、所定のオブジェクトが含まれないときに撮像された基準撮像画像とを比較することによって、所定のオブジェクトが検出されているか否かを判定してもよい。撮像装置１００は、例えば、撮像画像と基準撮像画像とに差分があるときに、所定のオブジェクトが含まれると判定し、撮像画像と基準撮像画像とに差分がないときに、所定のオブジェクトが含まれないと判定する。
【００９１】
撮像画像と基準撮像画像との比較は、画像全体の比較であってもよいし、画像の一部の領域（例えば、検出されていた所定のオブジェクト部分を含む、予め設定された大きさの領域）の比較であってもよい。撮像画像と基準撮像画像との比較が画像の一部の領域の比較である場合には、画像全体の比較を行う場合よりも処理負荷が軽減されるので、消費電力をより低減することが可能である。また、撮像画像と基準撮像画像との比較が画像の一部の領域の比較である場合には、当該一部の領域以外の領域における差分の影響を受けないので、画像全体の比較を行う場合よりも、所定のオブジェクトが検出されているか否かの判定精度を向上させることができる。
【００９２】
図５は、第２の実施形態に係る撮像装置１００における処理の一例を説明するための説明図であり、撮像装置１００が、撮像画像全体と基準撮像画像全体とを比較することによって、所定のオブジェクトが検出されているか否かを判定する場合の一例を示している。図５のＡに示す画像が、基準撮像画像の一例であり、図５のＢに示す画像が、基準撮像画像と比較する撮像画像（判定を行う時点の撮像画像）の一例である。
【００９３】
図５に示す例では、図５のＢに示す撮像画像と図５のＡに示す基準撮像画像とに差分がある。よって、図５に示す例では、撮像装置１００は、図５のＢに示す撮像画像に所定のオブジェクトが含まれると判定する。
【００９４】
例えば図５を参照して示したような、撮像画像と基準撮像画像との比較による判定方法を用いるときには、例えば下記に示す場合のような上記オブジェクト検出処理により所定のオブジェクトが検出されない場合であっても、撮像画像に所定のオブジェクトが含まれると判定することが可能である。
・試技のなかで顔が写らず、静止する演技がある場合
・試技のなかで撮像装置１００の撮像範囲から外れるような演技がある場合
【００９５】
［２−２−２］第２の実施形態に係る再生装置２００
第２の実施形態に係る再生装置２００は、上述した第１の実施形態に係る再生装置２００と基本的に同様の機能を有する。よって、以下では、第２の実施形態に係る再生装置２００における、上述した第１の実施形態に係る再生装置２００と同様の点については説明を省略し、相違点について説明する。
【００９６】
再生装置２００は、所定のオブジェクトの検出結果に基づいて、再生機能の制御を行う。
【００９７】
再生装置２００は、例えば図４において符号Ｃａｍと示す撮像デバイスを備え、当該撮像デバイスにより撮像された撮像画像に対して、任意のオブジェクト検出処理を行うことによって、所定のオブジェクトを検出する。再生装置２００が備える撮像デバイスとしては、例えば、表示画面の正面方向（例えば表示画面に対応する平面に対する垂直方向）を撮像する撮像デバイスが、挙げられる。
【００９８】
オブジェクト検出処理の一例として、練習を行う者の顔を検出する処理の一例を挙げると、再生装置２００は、撮像画像に対してパターンマッチングなどの任意の顔認識処理を行い、練習を行う者の顔が認識されたときに、所定のオブジェクトが検出されたと判定する。また、再生装置２００は、第２の実施形態に係る撮像装置１００と同様に、撮像された時点が異なる複数の撮像画像（例えば複数のフレーム画像）の差分をとることによって撮像画像から動体を検出し、検出された動体部分に対して、顔認識処理を行ってもよい。
【００９９】
なお、再生装置２００におけるオブジェクト検出処理は、上記に示す例に限られない。例えば、再生装置２００は、赤外線センサなどのオブジェクトを検出することが可能な任意のセンサの検出結果に基づいて、所定のオブジェクトを検出してもよい。
【０１００】
より具体的には、再生装置２００は、所定のオブジェクトが検出されたと判定されたときに、バッファリングされた画像信号が示す撮像画像の再生を開始する。また、再生装置２００は、再生が開始された後、所定のオブジェクトが検出されたと判定されないときに、撮像画像の再生を停止する。所定のオブジェクトが検出されたと判定されているときに、再生している撮像画像が最後まで再生された場合、再生装置２００は、例えば、再度撮像画像を再生してもよい。
【０１０１】
なお、再生装置２００が撮像画像の再生を停止する方法は、上記に示す例に限られない。例えば、再生装置２００は、所定のオブジェクトが検出されたと判定されていても、第１の実施形態に係る再生装置２００と同様に、設定されている時間設定に基づいて撮像画像の再生を停止してもよい。また、再生装置２００は、所定のオブジェクトが検出されたと判定されていても、再生している撮像画像が最後まで再生されたときに、撮像画像の再生を停止してもよい。
【０１０２】
上記のように撮像画像の再生と停止とが制御されることによって、再生装置２００では、例えば下記のような撮像画像の再生と停止とが実現される。
・再生装置２００が備える撮像デバイスにより撮像された撮像画像から、練習を行う者の顔が認識されたら、自動的にバッファリングされている撮像画像が再生される。
・再生装置２００が備える撮像デバイスにより撮像された撮像画像から、練習を行う者の顔が認識されなくなると、自動的に撮像画像の再生が停止される。
【０１０３】
［２−２−３］第２の実施形態に係る制御システム１０００のユースケース
図３と同様に、制御システム１０００がトランポリンの練習に用いられるユースケースを例に挙げる。
【０１０４】
練習を行う者は、規定の時間試技を行う（Ｓ１００）。試技終了後、練習を行う者は、再生装置２００の表示画面の前に移動する（Ｓ１０２）。
【０１０５】
制御システム１０００では、再生装置２００が無線通信で受信した撮像画像を示す画像信号をバッファリングし、再生装置２００は表示画面の前に移動した練習を行う者を検出したときに、バッファリングされた画像信号が示す撮像画像の再生を開始する。表示画面の前に移動した練習を行う者は、再生装置２００により再生され表示画面に表示された撮像画像をみて、フォームなどをチェックする（Ｓ１０４）。
【０１０６】
再生された撮像画像を見終わった練習を行う者は、再度試技を行うために、トランポリンへ移動する（Ｓ１０６）。再生装置２００は表示画面の前から練習を行う者が検出されなくなったときに、撮像画像の再生を停止する。そして、練習を行う者は、規定の時間試技を行う（Ｓ１００）。
【０１０７】
上述したように、撮像装置１００は、時間設定に基づいて撮像機能を制御し、撮像機能の制御と連動して送信機能を制御する。また、再生装置２００は、所定のオブジェクトの検出結果に基づいて、再生機能の制御を行う。よって、撮像装置１００および再生装置２００それぞれの消費電力は、図２に示す撮像装置６０および再生装置７０それぞれの消費電力よりも低減される。また、制御システム１０００では、“撮像装置１００および再生装置２００それぞれが、例えば遅延再生を終了する操作が行われるまで動作し続けること”を実現することが可能である。よって、制御システム１０００は、“自動的に動作して、試技や指導に集中させることができる操作性”を実現することができる。
【０１０８】
［２−２−４］第２の実施形態に係る制御システム１０００が奏する効果の一例
制御システム１０００は、基本的な構成は図２にシステム５０と同様の構成をとる。よって、制御システム１０００は、図２にシステム５０と同様の効果を奏することができる。
【０１０９】
また、撮像装置１００は、時間設定に基づいて撮像機能を制御し、撮像機能の制御と連動して送信機能を制御する。再生装置２００は、所定のオブジェクトの検出結果に基づいて、再生機能の制御を行う。よって、撮像装置１００および再生装置２００それぞれの消費電力は、図２に示す撮像装置６０および再生装置７０それぞれの消費電力よりも低減される。
【０１１０】
また、撮像装置１００および再生装置２００それぞれの消費電力が低減されることによって、撮像装置１００および再生装置２００それぞれが内部電源で動作する場合であっても、第２の実施形態に係る制御システム１０００を利用する者は、図２にシステム５０を利用する場合よりも長い時間、制御システム１０００を利用することができる。
【０１１１】
さらに、撮像装置１００および再生装置２００それぞれは、所定のオブジェクトの検出結果に基づき動作する。よって、第２の実施形態に係る制御システム１０００では、撮像画像を遅延させて再生させる遅延時間に依存しないシステムが実現される。
【０１１２】
したがって、第２の実施形態に係る制御システム１０００によって、より利便性を向上させた遅延再生を実現することができる。
【０１１３】
［３］本実施形態に係る制御システムが有する撮像装置１００および再生装置２００の構成
次に、上述した本実施形態に係る制御システムが有する撮像装置１００および再生装置２００の構成の一例を説明する。
【０１１４】
［３−１］撮像装置１００
［３−１−１］撮像装置１００の構成例
図６は、本実施形態に係る撮像装置１００の構成の一例を示すブロック図である。撮像装置１００は、例えば、撮像部１０２と、通信部１０４（撮像装置側通信部）と、制御部１０６（撮像装置側制御部）とを備える。
【０１１５】
また、撮像装置１００は、例えば、ＲＯＭ（Read  Only  Memory。図示せず）や、ＲＡＭ（Random  Access  Memory。図示せず）、記憶部（図示せず）、撮像装置１００の使用者が操作可能な操作部（図示せず）、様々な画面を表示画面に表示する表示部（図示せず）などを備えていてもよい。撮像装置１００は、例えば、データの伝送路としてのバスにより上記各構成要素間を接続する。
【０１１６】
ＲＯＭ（図示せず）は、制御部１０６が使用するプログラムや演算パラメータなどの制御用データを記憶する。ＲＡＭ（図示せず）は、制御部１０６により実行されるプログラムなどを一時的に記憶する。
【０１１７】
記憶部（図示せず）は、撮像装置１００が備える記憶手段であり、例えば、時間設定を示すデータなどの撮像装置１００における制御方法に係るデータや、各種アプリケーションなどの、様々なデータを記憶する。ここで、記憶部（図示せず）としては、例えば、ハードディスクなどの磁気記録媒体や、フラッシュメモリなどの不揮発性メモリなどが挙げられる。また、記憶部（図示せず）は、撮像装置１００から着脱可能であってもよい。
【０１１８】
操作部（図示せず）としては、後述する操作入力デバイスが挙げられる。また、表示部（図示せず）としては、後述する表示デバイスが挙げられる。なお、撮像装置１００は、操作部（図示せず）と表示部（図示せず）との一方または双方を備えていなくてもよい。
【０１１９】
［撮像装置１００のハードウェア構成例］
図７は、本実施形態に係る撮像装置１００のハードウェア構成の一例を示す説明図である。撮像装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４と、撮像デバイス１６６とを備える。また、撮像装置１００は、例えば、データの伝送路としてのバス１６８で各構成要素間を接続する。また、撮像装置１００は、例えば、撮像装置１００が備えているバッテリなどの内部電源から供給される電力、または、接続されている外部電源から供給される電力などによって、駆動する。
【０１２０】
ＭＰＵ１５０は、例えば、ＭＰＵ（Micro  Processing  Unit）などの演算回路で構成される、１または２以上のプロセッサや、各種処理回路などで構成され、撮像装置１００全体を制御する制御部１０６として機能する。また、ＭＰＵ１５０は、撮像装置１００において制御方法に係る処理を行う役目を果たす。なお、撮像装置１００における制御方法に係る処理は、ＭＰＵ１５０とは別体のプロセッサにより行われてもよい。
【０１２１】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１２２】
記録媒体１５６は、記憶部（図示せず）として機能し、例えば、時間設定を示すデータなどの撮像装置１００における制御方法に係るデータや、各種アプリケーションなどの様々なデータを記憶する。ここで、記録媒体１５６としては、例えば、ハードディスクなどの磁気記録媒体や、フラッシュメモリなどの不揮発性メモリが挙げられる。また、記録媒体１５６は、撮像装置１００から着脱可能であってもよい。
【０１２３】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）（登録商標）端子、各種処理回路などが挙げられる。
【０１２４】
操作入力デバイス１６０は、例えば、撮像装置１００上に備えられ、撮像装置１００の内部で入出力インタフェース１５８と接続される。操作入力デバイス１６０としては、例えば、ボタンや、方向キー、ジョグダイヤルなどの回転型セレクター、あるいは、これらの組み合わせなどが挙げられる。
【０１２５】
表示デバイス１６２は、例えば、撮像装置１００上に備えられ、撮像装置１００の内部で入出力インタフェース１５８と接続される。表示デバイス１６２としては、例えば、液晶ディスプレイや有機ＥＬディスプレイ（または、ＯＬＥＤディスプレイ（Organic  Light  Emitting  Diode  Display）ともよばれる。）などが挙げられる。
【０１２６】
なお、入出力インタフェース１５８が、撮像装置１００の外部の操作入力デバイス（例えば、キーボードやマウスなど）や外部の表示デバイスなどの、外部デバイスと接続することも可能であることは、言うまでもない。また、表示デバイス１６２は、例えばタッチパネルなど、表示と操作とが可能なデバイスであってもよい。
【０１２７】
通信インタフェース１６４は、撮像装置１００が備える通信手段であり、少なくとも無線で外部装置と通信を行うための通信部１０４として機能する。ここで、通信インタフェース１６４としては、例えば、ＩＥＥＥ８０２．１１ポートおよび送受信回路、ＩＥＥＥ８０２．１５．１ポートおよび送受信回路、通信アンテナおよびＲＦ（Radio  Frequency）回路などの、任意の無線通信に対応する通信デバイスが挙げられる。また、通信インタフェース１６４は、例えば、ＬＡＮ（Local  Area  Network）端子および送受信回路などの任意の有線通信を行う機能を有していてもよい。また、通信インタフェース１６４は、複数の通信方式によって、１または２以上の外部装置などと通信を行うことが可能な構成であってもよい。
【０１２８】
撮像デバイス１６６は、撮像により撮像画像（動画像または静止画像）を生成する撮像部１０２として機能する。
【０１２９】
撮像デバイス１６６は、例えば、レンズ／撮像素子と信号処理回路とを含んで構成される。レンズ／撮像素子は、例えば、光学系のレンズと、複数の撮像素子を有するイメ−ジセンサとで構成される。撮像素子（図示せず）としては、例えば、ＣＭＯＳ（Complementary  Metal  Oxide  Semiconductor）や、ＣＣＤ（Charge  Coupled  Device）、ＣＭＯＳにＣＣＤなどの他の構成要素が積層されて構成されるスタック型の撮像素子が、挙げられる。信号処理回路は、例えば、ＡＧＣ（Automatic  Gain  Control）回路やＡＤＣ（Analog  to  Digital  Converter）を備え、撮像素子により生成されたアナログ信号をデジタル信号（画像デ−タ）に変換する。
【０１３０】
撮像装置１００は、例えば図７に示す構成によって、撮像装置１００における制御方法に係る処理を行う。
【０１３１】
なお、本実施形態に係る撮像装置１００のハードウェア構成は、図７に示す構成に限られない。
【０１３２】
例えば、撮像装置１００が、外部の撮像デバイスを制御し、当該外部の撮像デバイスにより撮像された撮像画像に基づき処理を行う場合には、撮像装置１００は、図７に示す撮像デバイス１６６を備えない構成をとることが可能である。この場合、撮像装置１００は、外部の撮像デバイスを制御する撮像制御装置として機能する。
【０１３３】
また、撮像装置１００は、例えば、図７に示す記録媒体１５６、操作入力デバイス１６０、表示デバイス１６２、および通信インタフェース１６４のうちの１または２以上を備えない構成をとることが可能である。
【０１３４】
また、撮像装置１００は、例えば、後述する撮像装置１００の適用例に応じた構成をとることが可能である。
【０１３５】
また、例えば、図７に示す構成（または変形例に係る構成）は、１または２以上のＩＣ（Integrated  Circuit）で実現されてもよい。
【０１３６】
再度図６を参照して、撮像装置１００の構成の一例について説明する。撮像部１０２は、撮像装置１００が備える撮像手段であり、撮像により撮像画像を生成する。撮像部１０２の撮像は、例えば制御部１０６により制御される。撮像部１０２としては、例えば図７に示す撮像デバイス１６６が挙げられる。
【０１３７】
通信部１０４は、撮像装置１００が備える通信手段であり、少なくとも無線通信を行う機能を有する。通信部１０４の通信は、例えば制御部１０６により制御される。通信部１０４としては、例えば図７に示す通信インタフェース１６４が挙げられる。
【０１３８】
制御部１０６は、例えばＭＰＵなどで構成され、撮像装置１００全体を制御する役目を果たす。また、制御部１０６は、撮像装置１００における制御方法に係る処理を主導的に行う役目を果たす。
【０１３９】
より具体的には、制御部１０６は、例えば上記［２−１−１］に示したように、予め設定されている時間設定に基づいて、撮像機能の制御と、撮像画像を示す画像信号を送信する送信機能の制御とを行う。“制御部１０６が時間設定に基づいて撮像機能の制御と送信機能の制御とを行うこと”によって、上述した第１の実施形態に係る制御システム１０００を実現することができる。
【０１４０】
また、制御部１０６は、例えば上記［２−２−１］に示したように、時間設定に基づいて撮像機能を制御し、撮像機能の制御と連動して送信機能を制御してもよい。“制御部１０６が、時間設定に基づいて撮像機能を制御し、撮像機能の制御と連動して送信機能を制御すること”によって、上述した第２の実施形態に係る制御システム１０００を実現することができる。
【０１４１】
撮像装置１００は、例えば図６に示す構成によって、上記［２−１−１］に示す第１の実施形態に係る処理、または、上記［２−２−１］に示す第２の実施形態に係る処理を行う。
【０１４２】
したがって、例えば図６に示す構成を有する撮像装置１００によって、より利便性を向上させた遅延再生を実現することができる。
【０１４３】
また、例えば図６に示す構成によって、撮像装置１００は、上述したような撮像装置１００において行われる処理（撮像装置１００における制御方法に係る処理）が行われることにより奏される効果を、奏することができる。
【０１４４】
なお、本実施形態に係る撮像装置の構成は、図６に示す構成に限られない。
【０１４５】
例えば、撮像部１０２と同様の機能、構成を有する外部の撮像デバイスを制御し、当該外部の撮像デバイスにより撮像された撮像画像に基づき処理を行う場合には、本実施形態に係る撮像装置は、撮像部１０２を備えていなくてもよい。この場合、本実施形態に係る撮像装置は、外部の撮像デバイスを制御する撮像制御装置として機能する。
【０１４６】
また、例えば、通信部１０４と同様の機能、構成を有する外部の通信デバイスを介して外部装置と通信を行う場合には、本実施形態に係る撮像装置は、通信部１０４を備えていなくてもよい。
【０１４７】
［３−１−２］本実施形態に係る制御システムを構成する撮像装置の適用例
以上、本実施形態に係る制御システムの構成要素として、撮像装置を挙げて説明したが、本実施形態は、かかる形態に限られない。本実施形態に係る撮像装置は、例えば、“デジタルスチルカメラやデジタルビデオカメラなどのカメラ”や、“タブレット型の装置”、“ゲーム機”、“スマートフォンなどの通信装置”、“ＰＣ（Personal  Computer）などのコンピュータ”など、少なくとも上述した撮像装置１００において行われる処理（撮像装置１００における制御方法に係る処理）を行うことが可能な、任意の機器に適用することができる。
【０１４８】
［３−２］再生装置２００
［３−２−１］再生装置２００の構成例
図８は、本実施形態に係る再生装置２００の構成の一例を示すブロック図である。再生装置２００は、例えば、通信部２０２（再生装置側通信部）と、表示部２０４と、制御部２０６（再生装置側制御部）とを備える。
【０１４９】
また、再生装置２００は、例えば、ＲＯＭ（図示せず）や、ＲＡＭ（図示せず）、記憶部（図示せず）、再生装置２００の使用者が操作可能な操作部（図示せず）、撮像を行う撮像部（図示せず）などを備えていてもよい。再生装置２００は、例えば、データの伝送路としてのバスにより上記各構成要素間を接続する。
【０１５０】
ＲＯＭ（図示せず）は、制御部２０６が使用するプログラムや演算パラメータなどの制御用データを記憶する。ＲＡＭ（図示せず）は、制御部２０６により実行されるプログラムなどを一時的に記憶する。
【０１５１】
記憶部（図示せず）は、再生装置２００が備える記憶手段であり、例えば、時間設定を示すデータなどの再生装置２００における制御方法に係るデータや、各種アプリケーションなどの、様々なデータを記憶する。ここで、記憶部（図示せず）としては、例えば、ハードディスクなどの磁気記録媒体や、フラッシュメモリなどの不揮発性メモリなどが挙げられる。また、記憶部（図示せず）は、再生装置２００から着脱可能であってもよい。
【０１５２】
操作部（図示せず）としては、後述する操作入力デバイスが挙げられる。また、撮像部（図示せず）としては、後述する撮像デバイスが挙げられる。なお、再生装置２００は、操作部（図示せず）と撮像部（図示せず）との一方または双方を備えていなくてもよい。
【０１５３】
［再生装置２００のハードウェア構成例］
図９は、本実施形態に係る再生装置２００のハードウェア構成の一例を示す説明図である。再生装置２００は、例えば、ＭＰＵ２５０と、ＲＯＭ２５２と、ＲＡＭ２５４と、記録媒体２５６と、入出力インタフェース２５８と、操作入力デバイス２６０と、表示デバイス２６２と、通信インタフェース２６４とを備える。また、再生装置２００は、例えば、データの伝送路としてのバス２６６で各構成要素間を接続する。また、再生装置２００は、例えば、再生装置２００が備えているバッテリなどの内部電源から供給される電力、または、接続されている外部電源から供給される電力などによって、駆動する。
【０１５４】
ＭＰＵ２５０は、例えば、ＭＰＵなどの演算回路で構成される、１または２以上のプロセッサや、各種処理回路などで構成され、再生装置２００全体を制御する制御部（図示せず）として機能する。
【０１５５】
ＲＯＭ２５２は、ＭＰＵ２５０が使用するプログラムや演算パラメータなどの制御用データなどを記憶する。ＲＡＭ２５４は、例えば、ＭＰＵ２５０により実行されるプログラムなどを一時的に記憶する。
【０１５６】
記録媒体２５６は、記憶部（図示せず）として機能し、例えば、時間設定を示すデータなどの再生装置２００における制御方法に係るデータや、各種アプリケーションなどの様々なデータを記憶する。ここで、記録媒体２５６としては、例えば、ハードディスクなどの磁気記録媒体や、フラッシュメモリなどの不揮発性メモリが挙げられる。また、記録媒体２５６は、再生装置２００から着脱可能であってもよい。
【０１５７】
入出力インタフェース２５８は、例えば、操作入力デバイス２６０や、表示デバイス２６２を接続する。操作入力デバイス２６０は、操作部（図示せず）として機能し、また、表示デバイス２６２は、表示部２０４として機能する。ここで、入出力インタフェース２５８としては、例えば、ＵＳＢ端子や、ＤＶＩ端子、ＨＤＭＩ（登録商標）端子、各種処理回路などが挙げられる。
【０１５８】
また、操作入力デバイス２６０は、例えば、再生装置２００上に備えられ、再生装置２００の内部で入出力インタフェース２５８と接続される。操作入力デバイス２６０としては、例えば、ボタンや、方向キー、ジョグダイヤルなどの回転型セレクタ、あるいは、これらの組み合わせなどが挙げられる。
【０１５９】
また、表示デバイス２６２は、例えば、再生装置２００上に備えられ、再生装置２００の内部で入出力インタフェース２５８と接続される。表示デバイス２６２としては、例えば、液晶ディスプレイや有機ＥＬディスプレイなどが挙げられる。
【０１６０】
なお、入出力インタフェース２５８が、再生装置２００の外部の操作入力デバイス（例えば、キーボードやマウスなど）や外部の表示デバイスなどの、外部デバイスと接続することも可能であることは、言うまでもない。また、表示デバイス２６２は、例えばタッチパネルなど、表示と操作とが可能なデバイスであってもよい。
【０１６１】
通信インタフェース２６４は、再生装置２００が備える通信手段であり、通信部２０２として機能する。通信インタフェース２６４の通信方式は、例えば、撮像装置１００が画像信号などを送信する通信の通信方式に対応する。例えば、通信インタフェース２６４としては、ＩＥＥＥ８０２．１１ポートおよび送受信回路や、ＩＥＥＥ８０２．１５．１ポートおよび送受信回路などが、挙げられる。また、通信インタフェース２６４は、複数の通信方式によって、１または２以上の外部装置などと通信を行うことが可能な構成であってもよい。
【０１６２】
再生装置２００は、例えば図９に示す構成によって、再生装置２００における制御方法に係る処理を行う。
【０１６３】
なお、本実施形態に係る再生装置２００のハードウェア構成は、図９に示す構成に限られない。
【０１６４】
例えば、再生装置２００は、接続されている外部の通信デバイスを介して外部装置などと通信を行う場合には、通信インタフェース２６４を備えていなくてもよい。また、通信インタフェース２６４は、複数の通信方式によって、１または２以上の外部装置などと通信を行うことが可能な構成であってもよい。
【０１６５】
また、再生装置２００は、例えば、接続されている外部の表示デバイスに画像を表示させる構成である場合には、表示デバイス２６２を備えていなくてもよい。
【０１６６】
また、再生装置２００は、例えば、記録媒体２５６、および操作入力デバイス２６０のうちの一方または双方を、備えない構成をとることが可能である。
【０１６７】
また、再生装置２００は、例えば、後述する再生装置２００の適用例に応じた構成をとることが可能である。
【０１６８】
また、例えば、図９に示す構成（または変形例に係る構成）の一部または全部は、１、または２以上のＩＣで実現されてもよい。
【０１６９】
再度図８を参照して、再生装置２００の構成の一例について説明する。通信部２０２は、再生装置２００が備える通信手段であり、少なくとも無線通信を行う機能を有する。通信部２０２の通信は、例えば制御部２０６により制御される。通信部２０２としては、例えば図８に示す通信インタフェース２６４が挙げられる。
【０１７０】
表示部２０４は、再生装置２００が備える表示手段であり、通信部２０２において受信された画像信号が示す画像、ＵＩ（User  Interface）に関する画像などの、様々な画像を表示画面に表示させる。表示部２０４としては、例えば図８に示す表示デバイス２６２が挙げられる。
【０１７１】
制御部２０６は、例えばＭＰＵなどで構成され、再生装置２００全体を制御する役目を果たす。また、制御部２０６は、再生装置２００における制御方法に係る処理を主導的に行う役目を果たす。
【０１７２】
より具体的には、制御部２０６は、例えば上記［２−１−２］に示したように、予め設定されている時間設定に基づいて再生機能の制御を行う。“制御部２０６が時間設定に基づいて再生機能の制御を行うこと”によって、上述した第１の実施形態に係る制御システム１０００を実現することができる。
【０１７３】
また、制御部２０６は、例えば上記［２−２−２］に示したように、所定のオブジェクトの検出結果に基づいて再生機能の制御を行ってもよい。“制御部２０６が、所定のオブジェクトの検出結果に基づいて再生機能の制御を行うこと”によって、上述した第２の実施形態に係る制御システム１０００を実現することができる。
【０１７４】
再生装置２００は、例えば図８に示す構成によって、上記［２−１−１］に示す第１の実施形態に係る処理、または、上記［２−２−１］に示す第２の実施形態に係る処理を行う。
【０１７５】
したがって、例えば図８に示す構成を有する再生装置２００によって、より利便性を向上させた遅延再生を実現することができる。
【０１７６】
また、例えば図８に示す構成によって、再生装置２００は、上述したような再生装置２００において行われる処理（再生装置２００における制御方法に係る処理）が行われることにより奏される効果を、奏することができる。
【０１７７】
なお、本実施形態に係る再生装置の構成は、図８に示す構成に限られない。
【０１７８】
例えば、通信部２０２と同様の機能、構成を有する外部の通信デバイスを介して外部装置と通信を行う場合には、本実施形態に係る再生装置は、通信部２０２を備えていなくてもよい。
【０１７９】
また、例えば、表示部２０４と同様の機能、構成を有する外部の表示デバイスが接続され、接続されている外部の表示デバイスに画像を表示させる構成である場合には、本実施形態に係る再生装置は、表示部２０４を備えていなくてもよい。
【０１８０】
［３−２−２］本実施形態に係る制御システムを構成する再生装置の適用例
以上、本実施形態に係る制御システムの構成要素として、再生装置を挙げて説明したが、本実施形態は、かかる形態に限られない。本実施形態に係る撮像装置は、例えば、“タブレット型の装置”や、“デジタルスチルカメラやデジタルビデオカメラなどのカメラ”、
“ゲーム機”、“スマートフォンなどの通信装置”、“ＰＣなどのコンピュータ”など、少なくとも上述した再生装置２００において行われる処理（再生装置２００における制御方法に係る処理）を行うことが可能な、任意の機器に適用することができる。
【０１８１】
［４］本実施形態に係る制御システムにより奏される効果
上述した第１の実施形態に係る制御システムや第２の実施形態に係る制御システムのような、本実施形態に係る制御システムでは、例えば下記に示す効果が奏される。なお、本実施形態に係る制御システムにより奏される効果が、下記に示す例に限られないことは、言うまでもない。
・例えば民生用として販売されている、ＩＥＥＥ８０２．１１規格に則った無線通信機能搭載のカメラ（撮像装置１００の一例）と、タブレット型の装置（再生装置２００の一例）とで、制御システム１０００を構築することができるので、システムコストを下げることができる。
・上記無線通信機能搭載のカメラやタブレット型の装置などのモバイル機器を活用することによって可搬性が高いコンパクトなシステムを構成できるので、屋外競技や遠征先などの、設備備え付きのシステムでは利用することが困難なユースケースにも対応することができる。
・撮像装置１００と再生装置２００との通信を無線通信とすることによって、各装置の設営が簡単となり、制御システム１０００の導入コストを下げることができる。
・本実施形態に係る制御システムが第２の実施形態に係る制御システム１０００の構成をとる場合、本実施形態に係る制御システムは遅延時間に依存しないので、競技の選手などは、自分のタイミングで試技に挑戦することができ、使い勝手がより向上する。
・本実施形態に係る制御システムが第２の実施形態に係る制御システム１０００の構成をとる場合、撮像装置１００は、撮像を行う期間、および撮像画像をストリーミング送信する期間を、所定のオブジェクトの検出処理の結果に応じて必要最小限とすることができる。よって、本実施形態に係る制御システムでは、撮像装置１００の消費電力が下がることからモバイル環境での長時間利用が可能となり、利便性が向上する。
・本実施形態に係る制御システムが第２の実施形態に係る制御システム１０００の構成をとる場合、撮像装置１００は、基準撮像画像と撮像画像との比較によって、試技の継続状況を判定して撮像機能と送信機能とを制御することが可能である。よって、本実施形態に係る制御システムは、システムの品質を向上させ、よりよいユーザ体験を提供することができる。
【０１８２】
（本実施形態に係るプログラム）
［Ｉ］本実施形態に係る撮像装置として機能させるためのプログラム
コンピュータを、本実施形態に係る撮像装置として機能させるためのプログラム（例えば、上記［２−１−１］に示す撮像装置１００における処理、または、上記［２−２−１］に示す撮像装置１００における処理など、撮像装置１００における制御方法に係る処理を実行することが可能なプログラム）が、コンピュータにおいてプロセッサなどにより実行されることによって、より利便性を向上させた遅延再生を実現することが可能な制御システムが、実現される。
【０１８３】
また、コンピュータを、本実施形態に係る撮像装置として機能させるためのプログラムが、コンピュータにおいてプロセッサなどにより実行されることによって、上述した撮像装置１００における制御方法に係る処理によって奏される効果を、奏することができる。
【０１８４】
［ＩＩ］本実施形態に係る再生装置として機能させるためのプログラム
コンピュータを、本実施形態に係る再生装置として機能させるためのプログラム（例えば、上記［２−１−１］に示す再生装置２００における処理、または、上記［２−２−１］に示す再生装置２００における処理など、再生装置２００における制御方法に係る処理を実行することが可能なプログラム）が、コンピュータにおいてプロセッサなどにより実行されることによって、より利便性を向上させた遅延再生を実現することが可能な制御システムが、実現される。
【０１８５】
また、コンピュータを、本実施形態に係る再生装置として機能させるためのプログラムが、コンピュータにおいてプロセッサなどにより実行されることによって、上述した再生装置２００における制御方法に係る処理によって奏される効果を、奏することができる。
【０１８６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１８７】
例えば、上記では、コンピュータを、本実施形態に係る撮像装置として機能させるためのプログラム（コンピュータプログラム）が提供されることを示したが、本実施形態は、さらに、当該プログラムを記憶させた記録媒体も併せて提供することができる。また、上記では、コンピュータを、本実施形態に係る再生装置として機能させるためのプログラムとが提供されることを示したが、本実施形態は、さらに、当該プログラムを記憶させた記録媒体も併せて提供することができる。
【０１８８】
上述した構成は、本実施形態の一例を示すものであり、当然に、本開示の技術的範囲に属するものである。
【０１８９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１９０】
なお、以下のような構成も本開示の技術的範囲に属する。
（１）
動画像の撮像を行う撮像部と、
無線通信を行う通信部と、
予め設定されている時間設定に基づいて、撮像機能の制御と、撮像された撮像画像を示す画像信号を送信する送信機能の制御とを行う制御部と、
を備え、
前記制御部は、少なくとも、前記撮像機能が働いていない待機状態と、前記撮像機能が働いている動作状態との切り替えを、前記時間設定に従って制御する、撮像装置。
（２）
前記制御部は、
前記時間設定に従って周期的に撮像の開始と停止とを行わせ、
前記時間設定に従って周期的に前記画像信号の送信の開始と停止とを行わせる、（１）に記載の撮像装置。
（３）
前記制御部は、
撮像を行わせているときには、前記撮像画像を送信させ、
撮像を停止させているときには、前記画像信号の送信を停止させる、（２）に記載の撮像装置。
（４）
前記制御部は、前記時間設定に従って撮像機能を制御し、前記撮像機能の制御と連動して前記送信機能を制御する、（１）に記載の撮像装置。
（５）
前記制御部は、
前記時間設定に従って撮像を開始させ、
前記撮像画像に基づいて、前記画像信号の送信を開始させる、（４）に記載の撮像装置。
（６）
前記制御部は、前記撮像画像から所定のオブジェクトが検出されたときに、前記画像信号の送信を開始させる、（５）に記載の撮像装置。
（７）
前記制御部は、前記画像信号の送信を開始させた後、前記撮像画像から前記所定のオブジェクトが検出されないと判定されたときに、撮像と前記画像信号の送信とを停止させる、（６）に記載の撮像装置。
（８）
前記制御部は、前記撮像画像と、前記所定のオブジェクトが含まれないときに撮像された基準撮像画像とを比較することによって、所定のオブジェクトが検出されているか否かを判定する、（７）に記載の撮像装置。
（９）
前記制御部は、圧縮された前記画像信号を送信させる、（１）〜（７）のいずれか１つに記載の撮像装置。
（１０）
無線通信を行う通信部と、
表示画面に画像を表示することが可能な表示部と、
予め設定されている時間設定、または、所定のオブジェクトの検出結果に基づいて、受信された画像信号を再生して前記表示画面に画像を表示する再生機能の制御を行う制御部と、
を備える、再生装置。
（１１）
前記時間設定に基づいて前記再生機能の制御を行う場合、前記制御部は、前記時間設定に従って周期的に再生の開始と停止とを行わせる、（１０）に記載の再生装置。
（１２）
予め設定されている時間設定に基づいて、動画像の撮像を行う撮像部における撮像機能の制御と、通信部における撮像された撮像画像を示す画像信号を送信する送信機能の制御とを行う制御ステップを有し、
前記制御ステップでは、少なくとも、前記撮像機能が働いていない待機状態と、前記撮像機能が働いている動作状態との切り替えが、前記時間設定に従って制御される、撮像装置により実行される制御方法。
（１３）
予め設定されている時間設定、または、所定のオブジェクトの検出結果に基づいて、通信部において無線で受信された画像信号を再生して表示部の表示画面に画像を表示する再生機能の制御を行うステップを有する、再生装置により実行される制御方法。
（１４）
撮像装置と、
再生装置と、
を有し、
前記撮像装置は、
動画像の撮像を行う撮像部と、
無線通信を行う撮像装置側通信部と、
予め設定されている時間設定に基づいて、撮像機能の制御と、撮像された撮像画像を示す画像信号を送信する送信機能の制御とを行う撮像装置側制御部と、
を備え、
前記撮像装置側制御部は、少なくとも、前記撮像機能が働いていない待機状態と、前記撮像機能が働いている動作状態との切り替えを、前記時間設定に従って制御し、
前記再生装置は、
無線通信を行う再生装置側通信部と、
表示画面に画像を表示することが可能な表示部と、
予め設定されている時間設定、または、所定のオブジェクトの検出結果に基づいて、受信された画像信号を再生して前記表示画面に画像を表示する再生機能の制御を行う再生装置側制御部と、
を備える、制御システム。
【符号の説明】
【０１９１】
１０、５０    システム
２０、６０、１００    撮像装置
３０    バッファ装置
４０、７０、２００    再生装置
１０２    撮像部
１０４、２０２    通信部
１０６、２０６    制御部
１０００    制御システム
【図１】
2019049455.tif 000003
【図２】
2019049455.tif 000004
【図３】
2019049455.tif 000005
【図４】
2019049455.tif 000006
【図５】
2019049455.tif 000007
【図６】
2019049455.tif 000008
【図７】
2019049455.tif 000009
【図８】
2019049455.tif 000010
【図９】
2019049455.tif 000011
【国際調査報告】
2019049455.tif 000012
2019049455.tif 000013